(57)【要約】【課題】記憶したズーム位置の画角をユーザに呈示しながらユーザの選択したズーム操作に応じてズーム制御を切り替える撮像装置を提供すること。【解決手段】撮像手段と、電源オン／オフを切り替える電源制御手段と、表示部の表示を制御する表示制御手段と、ズーム制御手段と、前記電源制御手段により電源オフする時のズーム位置を記憶するズーム位置記憶手段と、前記ズーム手段の駆動及び方向を指示する第一のズーム操作部と、第二のズーム操作部と、を有することを特徴とする。【選択図】図１
2019129467.tif 000002
【特許請求の範囲】
【請求項１】
撮像手段と、
電源オン／オフを切り替える電源制御手段と、
表示部の表示を制御する表示制御手段と、
ズーム制御手段と、
前記電源制御手段により電源オフする時のズーム位置を記憶するズーム位置記憶手段と、
前記ズーム手段の駆動及び方向を指示する第一のズーム操作部と、
第二のズーム操作部と、
を有し、
前記表示制御手段は、記憶したズーム位置における画角を示す指標を電源オン時から撮影画像に重畳して表示し、
前記ズーム制御手段は、前記指標が表示されている状態において、前記第二のズーム操作部を介した操作に応じて前記記憶したズーム位置へのズーム動作を指示することを特徴とする撮像装置。
【請求項２】
前記表示制御手段は、
前記指標として画角の枠を示す画像を表示することを特徴とする請求項１に記載の撮像装置。
【請求項３】
前記表示制御手段は、前記指標を表示している状態で、前記第一のズーム操作部および前記第二のズーム操作部のいずれかを介した操作がなされた場合、もしくは電源オンから所定の時間が経過した場合に、前記指標の表示をやめることを特徴とする請求項１に記載の撮像装置。
【請求項４】
前記ズーム制御手段は、前記第二のズーム操作部を介した操作に応じたズーム移動の速度が、前記第一のズーム操作部を介した操作に応じたズーム移動の速度よりも速くなるように制御することを特徴とする請求項１に記載の撮像装置。
【請求項５】
前記ズーム制御手段は、前記指標が表示されていない状態において、前記第二のズーム操作部を介した操作に応じて前記記憶したズーム位置へのズーム動作を指示しないことを特徴とする請求項３に記載の撮像装置。
【請求項６】
前記ズーム制御手段は、前記指標が表示されていない状態において、前記第二のズーム操作部を介した操作に応じて前記記憶したズーム位置へのズーム動作とは別のズーム動作を指示することを特徴とする請求項３に記載の撮像装置。
【発明の詳細な説明】
【技術分野】
【０００１】
本発明は、撮像装置及びその制御方法に関し、特にズーム機能を備える撮像装置に関する。
【背景技術】
【０００２】
従来、光学ズーム機能を備えるデジタルカメラにおいて、ユーザは所望の画角により撮影を行うことが可能である。光学ズームの一つの機能として、ズームレバーの操作開始のタイミングでワイド端（広角端）からテレ端（望遠端）までの間を連続的にズーム移動し、ズームレバーの操作停止のタイミングでズーム移動を停止することで所望の画角を得る方法（以下、通常ズーム）がある。通常ズームは、撮影シーンに応じて画角を調整しながら撮影する場合に便利である。
【０００３】
一般的に、撮影シーンに応じて画角を調整しながら撮影する場合は、カメラの電源オン時にズーム位置がワイド端となっている方が使い勝手が良い。一方で、同じ画角で繰り返し撮影する際には、カメラの電源オン時に自動的に所定のズーム位置にズーム移動する方が効率が良い。
【０００４】
そこで、カメラの電源オフ時にズーム位置を記憶し、次の電源オン時に自動的に、記憶したズーム位置にズーム移動する方法が提案されている。特許文献１では、カメラの電源のオン／オフを電源スイッチの操作と表示部の開閉のどちらで行ったかによって、電源オフ時のレンズ位置を保持するか、もしくはレンズ位置を保持せずに起動時には所定のレンズ位置にレンズを駆動するかを切り換える。これにより、ユーザは電源をオフ／オンする操作を選択することにより、ユーザが所望する起動時のレンズ制御をカメラに行わせることができる。
【先行技術文献】
【特許文献】
【０００５】
【特許文献１】特開２０１５―７３２４０号公報
【発明の概要】
【発明が解決しようとする課題】
【０００６】
しかしながら、上述の特許文献１に開示された技術では、電源オフの時点で次に電源オンする時の撮影シーンが判断できない為に所望のレンズ制御を行えない場合がある。また、電源オフ時のズーム位置を保持する場合、特にズームが高倍率であると、予め被写体にレンズを向けた状態で電源オンしなければ被写体を画角内に捉える事が難しいという問題がある。
【０００７】
本発明は、上記の問題点に鑑み、記憶したズーム位置の画角をユーザに呈示しながらユーザの選択したズーム操作に応じてズーム制御を切り替える撮像装置を提供することを目的とする。
【課題を解決するための手段】
【０００８】
上記の目的を達成するために、本発明に係る撮像装置は、
撮像手段と、電源オン／オフを切り替える電源制御手段と、表示部の表示を制御する表示制御手段と、ズーム制御手段と、前記電源制御手段により電源オフする時のズーム位置を記憶するズーム位置記憶手段と、前記ズーム手段の駆動及び方向を指示する第一のズーム操作部と、第二のズーム操作部と、を有し、前記表示制御手段は、記憶したズーム位置における画角を示す指標を電源オン時から撮影画像に重畳して表示し、前記ズーム制御手段は、前記指標が表示されている状態において、前記第二のズーム操作部を介した操作に応じて前記記憶したズーム位置へのズーム動作を指示することを特徴とする。
【発明の効果】
【０００９】
本発明に係る撮像装置によれば、ズーム機能を備える撮像装置において、撮影シーンに応じて画角を調整しながら撮影する場合と、同じ画角で繰り返し撮影する場合の両方で、ユーザが容易にズーム制御を切り替えることができる。また、記憶したズーム位置にズーム動作する場合も、ズーム動作する前にユーザが画角を確認できるため、被写体を捉える事が容易になる。
【図面の簡単な説明】
【００１０】
【図１】本実施形態による撮像装置１００の構成例を示すブロック図である。
【図２】本実施形態の実施例におけるズーム動作を説明するフローチャートである。
【図３】本実施形態の実施例における撮像装置の記憶ズーム位置までズーム動作を行う場合の表示処理を説明する図である。
【図４】本実施形態の実施例における撮像装置の通常のズーム動作を行う場合の表示処理を説明する図である。
【図５】本実施形態の実施例におけるフレーミングアシスト機能を説明するフローチャートである。
【発明を実施するための形態】
【００１１】
以下、本発明を実施するための形態について、図面を参照しながら説明する。
【実施例】
【００１２】
本実施例では、ズーム機能を備えるデジタルカメラにおいて、電源オフ時に記憶したズーム位置における画角表示を行い、ユーザによるズーム操作で通常ズームと記憶したズーム位置へのズーム動作を切り替える例を述べる。
【００１３】
まず、図１を参照して、本実施例における撮像装置１００の構成について説明する。
【００１４】
撮像装置１００は、ズームレンズ部１０１とフォーカスレンズ部１０２とズーム制御部１０３と撮像部１０４と画像処理部１０５と一時記憶メモリ１０６と表示部１０７と表示制御部１０８と電源スイッチ１０９とズームレバー１１０とフレーミング釦１１１とズーム位置記憶部１１２とＣＰＵ１１３とバス１１４によって構成されている。
ここで、ズームレンズ部１０１、フォーカスレンズ部１０２、ズーム制御部１０３、撮像部１０４、画像処理部１０５、一時記憶メモリ１０６、表示部１０７、表示制御部１０８、電源スイッチ１０９、ズームレバー１１０、フレーミング釦１１１、ズーム位置記憶部１１２、ＣＰＵ１１３は、バス１１４を介して接続されている。
【００１５】
ズームレンズ部１０１は、像の大きさを変えるために駆動するレンズ群であり、駆動モータを含む。
【００１６】
フォーカスレンズ部１０２は、被写体にピントを合わせるために駆動するレンズ群であり、駆動モータを含む。
【００１７】
ズーム制御部１０３は、ズームレンズ部１０１およびフォーカスレンズ部１０２の駆動シーケンスを制御し、ズーム位置を変更することによりズーム動作を行う。ズーム位置は、ズームレンズおよびフォーカスレンズのレンズ位置である。
【００１８】
撮像部１０４は、ＣＣＤセンサやＣＭＯＳセンサ等の撮像素子、シャッター、絞り、測距部、Ａ／Ｄ変換器等で構成される。撮像素子に露光された画像信号をＡ／Ｄ変換して出力する。
【００１９】
画像処理部１０５は、撮像部１０４により撮像された画像信号に対して、圧縮伸長処理や、ホワイトバランス調整、補間、輪郭強調、ガンマ補正、階調変換などの各種信号処理を施す。
【００２０】
一時記憶メモリ１０６は、撮像部１０４が出力する画像信号や、画像処理部１０５で処理した画像データを一時的に記憶する。
【００２１】
表示部１０７は、ＬＣＤなどの表示装置であり、表示制御部１０８が出力する表示制御信号に基づいて映像信号を表示する。
【００２２】
表示制御部１０８は、表示制御信号や表示部１０７に表示するための映像信号を生成する。映像信号は、一時記憶メモリ１０６に書き込まれた画像データやＧＵＩ（Ｇｒａｐｈｉｃａｌ  Ｕｓｅｒ  Ｉｎｔｅｒｆａｃｅ）を構成するＧＵＩ画面等により生成される。
ここで、表示部１０７は、表示制御部１０８が撮像部１０４により撮像される画像を逐次表示部１０７へ映像信号として転送してリアルタイムに表示制御することにより、ライブビューとして機能する。
【００２３】
電源スイッチ１０９は、撮像装置１００の電源オン／オフを指示する操作部である。
【００２４】
ズームレバー１１０は、操作方向・操作量により、ズーム動作の駆動方向及び速度を指示可能な操作部である。ズームレバー１１０は、通常ズームを行うためにユーザにより操作される。
【００２５】
フレーミング釦１１１は、釦の押下により、所定のズーム位置までズームを駆動させるズーム動作を指示可能な操作部である。フレーミング釦１１１には、釦が押下された時の撮像装置１００の状態に応じて、異なるズーム動作を割り当てることが出来る。また、撮像装置１００が特定の状態である場合に、フレーミング釦１１１を押下してもズーム動作を行わないようにしてもよい。
【００２６】
ズーム位置記憶部１１２は、指示された時点でのズーム位置を記憶する。ズーム位置の記憶を指示するタイミングとして、フレーミング釦１１１が押下された時や、電源スイッチ１０９が押されることにより電源オフが指示された時等を設定することが出来る。また、ズーム位置記憶部１１２は、不揮発性メモリを含み、電源オフの後再び電源スイッチ１０９が押されることにより電源オンした状態においても電源オフ時のズーム位置を記憶している。
【００２７】
ＣＰＵ１１３は、撮像装置１００全体を制御する。
【００２８】
次に、図１に示した撮像装置において電源オンから電源オフまでの間でズーム動作を行うフローを、図２および図５のフローチャートと図３および図４を参照して説明する。
【００２９】
図３は、記憶したズーム位置へのズーム時に撮像装置１００の表示部１０７に表示される画面例を示している。また、図４は、通常ズーム時に撮像装置１００の表示部１０７に表示される画面例を示している。
【００３０】
ここから、図２のフローチャートについて詳細に説明する。
【００３１】
ステップＳ２０１において、撮像装置１００は、電源オフの状態でユーザが電源スイッチ１０９を操作することにより電源オン状態となる。
【００３２】
ステップＳ２０２において、表示部１０７は、ライブビュー画像と記憶したズーム位置の画角を示す枠画像を表示する。本実施例では、ズーム制御部１０３は、電源オン時のズーム位置をワイド端に設定する。表示制御部１０８は、表示部１０７に表示する映像信号として、ズーム位置がワイド端でのライブビュー画像に、ズーム位置記憶部１１２で記憶しているズーム位置Ｐにおける画角に相当する枠画像を重畳表示した画像を生成する。
【００３３】
図３ａは、ステップＳ２０２における表示部１０７の表示の一例であり、前回の電源オフ前に撮影していた時と同じ被写体である第一の被写体３０２を含むライブビュー画像に、記憶ズーム位置Ｐにおける画角に相当する枠画像３０１が重畳して表示されている。また、図４ａも同様にステップＳ２０２における表示部１０７の表示の一例である。図４ａでは、第一の被写体３０２とは異なる第二の被写体４０２を含むライブビュー画像に、記憶ズーム位置Ｐにおける画角に相当する枠画像３０１が重畳して表示されている。
【００３４】
また、図３ａおよび図４ａは枠画像３０１をライブビューの中央に表示した例であるが、枠画像は被写体に応じて表示を変更してもよい。例えば、撮像装置１００がさらに被写体検出部を含んで構成されている場合、被写体検出部は前回の電源オフ前に撮影していた被写体Ｈを検出し記憶する。そして、電源オン時の画角内に被写体Ｈが検出された場合、被写体Ｈが中心となるように枠画像を重畳表示してもよい。反対に、電源オン時の画角内に被写体Ｈが検出されなかった場合には、枠画像を表示しない様に制御してもよい。同様に、撮像装置１００がさらにシーン認識部を含んで構成されている場合、前回の電源オフ前に認識したシーンと電源オン時に認識したシーンが同一であれば枠画像を表示し、シーンが異なっていれば枠画像を表示しないように制御することも可能である。ここで、枠画像を表示しないように制御した場合には、撮像装置１００のズーム制御はステップＳ２０９へと進むことになる。
【００３５】
ステップＳ２０３において、ＣＰＵ１１３で、ユーザによるフレーミング釦１１１の操作を検出したかどうかを判定する。例えば、図３ａに示す例においては、ユーザは第一の被写体３０２を記憶したズーム位置、つまり枠画像３０１が示す画角で撮影するためにフレーミング釦１１１を押下する。ステップＳ２０３によりフレーミング釦１１１の操作を検出した場合は、ステップＳ２０４へ進む。フレーミング釦１１１の操作が検出されなかった場合は、ステップＳ２０５へ進む。
【００３６】
ステップＳ２０４において、ズーム制御部１０３は、ズームレンズ部１０１およびフォーカスレンズ部１０２を制御し、記憶ズーム位置Ｐまでズーム動作を行う。図３ｂは、表示部１０７の表示の一例であり、枠画像３０１の示す画角までズームした後の第一の被写体３０２を含むライブビュー画像が表示されている。
【００３７】
ステップＳ２０５において、ＣＰＵ１１３で、ユーザによるズームレバー１１０の操作を検出したかどうかを判定する。例えば、図４ａに示す例においては、ユーザは第二の被写体４０２を所望の画角４０１で撮影するためにズームレバー１１０を操作する。ここで、画角４０１は、ユーザが設定したい仮想の画角を示し、表示部１０７に表示されるものではない。ステップＳ２０５によりズームレバー１１０の操作を検出した場合は、ステップＳ２０６へ進む。ズームレバー１１０の操作が検出されなかった場合は、ステップＳ２０７へ進む。
【００３８】
ステップＳ２０６において、ズーム制御部１０３は、ズームレンズ部１０１およびフォーカスレンズ部１０２を制御し、ズームレバー１１０の操作方向と操作量に基づいて通常ズームの動作を行う。
【００３９】
ここで、通常ズームのズーム制御について説明を行う。ズーム制御部１０３は、ズームレバー１１０の操作量に応じて、ズーム制御速度Ｖを決定し、操作方向に応じた方向に速度Ｖでズーム動作を開始する。ズーム制御部１０３は、ズーム位置が駆動方向のテレ端またはワイド端まで到達したか、またはズームレバー１１０の操作が中止された場合、ズーム動作を停止する。また、ズーム制御部１０３は、ズーム動作中もズームレバー１１０の操作量の変更に応じて、速度Ｖを変更しながらズーム動作を制御御する。
【００４０】
図４ｂは、表示部１０７の表示の一例であり、画角４０１の示す画角までズームした後の第二の被写体４０２を含むライブビュー画像が表示されている。
【００４１】
ステップＳ２０７において、ＣＰＵ１１３で、ステップＳ２０１で電源オンしてから所定の時間が経過したかどうかを判定する。ステップＳ２０７により何れのズーム動作も行わずに所定の時間が経過した場合は、ステップＳ２０８へ進む。所定の時間をまだ経過していない場合は、ステップＳ２０３へ進み再度ユーザによるズーム操作の検出を判定する。
【００４２】
ステップＳ２０８において、表示部１０７は、ライブビュー画像に重畳表示していた記憶ズーム位置Ｐの画角を示す枠画像の表示をやめる。表示制御部１０８は、表示部１０７に表示する映像信号として、現在のズーム位置におけるライブビュー画像を適用する。本実施例では、記憶ズーム位置Ｐまでズーム動作した場合は図３ｂの様に、また、通常ズーム動作した場合は図４ｂのように、枠画像無しにそれぞれ被写体のライブビュー画像が表示部１０７に表示される。
【００４３】
ステップＳ２０９において、ＣＰＵ１１３で、ユーザによるズームレバー１１０の操作を検出したかどうかを判定する。ステップＳ２０９において行う判定の制御はステップＳ２０５と同様である。ここでは、ユーザはライブビューで枠画像が表示されなくなった状態から、さらに所望の画角に変更して撮影するためにズームレバー１１０を操作する。ステップＳ２０９によりズームレバー１１０の操作を検出した場合は、ステップＳ２１０へ進む。ズームレバー１１０の操作が検出されなかった場合は、ステップＳ２１１へ進む。
【００４４】
ステップＳ２１０において、ズーム制御部１０３は、ズームレンズ部１０１およびフォーカスレンズ部１０２を制御し、ズームレバー１１０の操作方向と操作量に基づいて通常ズームの動作を行う。通常ズームのズーム制御についてはステップＳ２０６の制御と同様である。
【００４５】
ステップＳ２１１において、ＣＰＵ１１３で、ユーザによるフレーミング釦１１１の操作を検出したかどうかを判定する。本実施例では、ステップＳ２０８の前後でフレーミング釦１１１には異なるズーム動作が割り当てられている。ステップＳ２０８より前のタイミングにおいては、ステップＳ２０４の説明で述べた通り、記憶ズーム位置Ｐまでズーム動作を行う。一方、ステップＳ２０８より後のタイミングにおいては、後述するフレーミングアシスト動作を行う。ステップＳ２１１においては、ユーザはフレーミングアシスト機能を動作させるためにフレーミング釦１１１を押下する。ステップＳ２１１によりフレーミング釦１１１の操作を検出した場合は、ステップＳ２１２へ進む。フレーミング釦１１１の操作が検出されなかった場合は、ステップＳ２１３へ進む。
【００４６】
ステップＳ２１２において、ズーム制御部１０３は、ズームレンズ部１０１およびフォーカスレンズ部１０２を制御し、フレーミングアシスト動作を行う。フレーミングアシストは、高倍率撮影でのフレーミングを容易にする機能である。フレーミング釦１１１を押すことで現在のズーム位置を記憶すると共に、現在のズーム位置をもとに求められたワイド画角位置にズーム動作する。そして、フレーミング釦１１１を離すことで記憶したズーム位置に復帰させる。
【００４７】
フレーミングアシストのズーム制御について、図５のフローチャートを参照して説明を行う。
【００４８】
ステップＳ５０１において、ズーム位置記憶部１１２は、フレーミング釦１１１が押下（ＯＮ）されると、現在のズーム位置Ｐ０（フレーミング釦１１１がＯＮされたときのズーム位置）を記憶する。
【００４９】
ステップＳ５０２において、ズーム制御部１０３は、現在のズーム位置Ｐ０よりも焦点距離が所定量短くなる（所定量ワイド側の）ズーム位置Ｐ１を算出する。
【００５０】
ステップＳ５０３において、ズーム制御部１０３は、ズームレンズ部１０１およびフォーカスレンズ部１０２を制御し、ワイド方向にズーム動作を行う。
【００５１】
ステップＳ５０４において、ズーム制御部１０３は、ズーム位置がズーム位置Ｐ１またはワイド端まで移動したかどうかを判定する。ズーム位置がズーム位置Ｐ１もしくはワイド端である場合は、ステップＳ５０６へ進む。ズーム位置がズーム位置Ｐ１でもワイド端でもない場合は、ステップＳ５０５へ進む。
【００５２】
ステップＳ５０５において、ＣＰＵ１１３で、ズーム動作中にフレーミング釦１１１がＯＦＦされたかどうかを判定する。ズーム動作中にフレーミング釦１１１がＯＦＦされた場合は、ステップＳ５０６へ進む。フレーミング釦１１１がＯＦＦされていない場合は、ステップＳ５０４へ進み再度ズーム位置を判定する。
【００５３】
ステップＳ５０６において、ズーム制御部１０３は、ズーム動作を停止する。
ステップＳ５０７において、ＣＰＵ１１３で、フレーミング釦１１１がＯＦＦされたかどうかを判定する。フレーミング釦１１１がＯＦＦされた場合は、ステップＳ５０８へ進む。フレーミング釦１１１がＯＦＦされていない場合は、ステップＳ５０７へ進む。つまり、ステップＳ５０７においてフレーミング釦１１１がＯＮである間は、ズーム位置はズーム位置Ｐ０、または、ワイド端を維持する。
【００５４】
ステップＳ５０８において、ズーム制御部１０３は、ズームレンズ部１０１およびフォーカスレンズ部１０２を制御し、フレーミング釦１１１がＯＮされた時とは反対のテレ方向にズーム動作を行う。
【００５５】
ステップＳ５０９において、ズーム制御部１０３は、ズーム位置がズーム位置Ｐ０まで、つまりフレーミング釦１１１のＯＮ操作によるズーム動作前のズーム位置まで移動したかどうかを判定する。ズーム位置がズーム位置Ｐ０である場合は、ステップＳ５１０へ進む。ズーム位置がズーム位置Ｐ１でない場合は、ステップＳ５０９へ進みズーム動作を継続する。
【００５６】
ステップＳ５１０において、ズーム制御部１０３は、ズーム動作を停止する。このとき、ズーム位置はズーム位置Ｐ０となる。
【００５７】
ステップＳ２１３において、ＣＰＵ１１３で、ユーザによる電源スイッチ１０９の操作を検出したかどうかを判定する。ステップＳ２１３によりユーザが電源オフするために電源スイッチ１０９を操作したことを検出した場合は、ステップＳ２１４へ進む。電源スイッチ１０９の操作が検出されなかった場合は、ステップＳ２０９へ進み再度各種操作がなされたかを判定する。
【００５８】
ステップＳ２１４において、ズーム位置記憶部１１２は、現在のズーム位置Ｐ’（電源スイッチ１０９がオフされたときのズーム位置）を記憶する。
【００５９】
ステップＳ２１５において、撮像装置１００は、電源オンの状態でユーザが電源スイッチ１０９を操作することにより電源オフ状態となる。
【００６０】
本実施例に示したように構成された撮像装置によれば、ズーム機能を備えるデジタルカメラにおいて、通常ズームと、記憶したズーム位置へズームを行う場合の両方で、ユーザが容易にズーム制御を切り替えることができる。また、記憶したズーム位置にズーム移動する場合も、ズーム動作する前にユーザが画角を確認できるため、被写体を捉える事が容易になる。
【００６１】
以上、本発明の好ましい実施形態について説明したが、図１に示した撮像装置の構成は一例であり、実施例の動作を実行できるのであれば、本発明に係る撮像装置の構成は、図１に示した構成に限定されるものではない。
【００６２】
例えば、実施例はズームレンズを駆動することによりズーム動作を実現する光学ズームについて説明したが、撮像画像の切り出し領域を拡大表示して実現する電子ズームでも実行することができる。一例として、所定の焦点距離までは光学ズームを実行し、それ以降のズーム機能は電子ズームで実行するという方式がある。すなわち、ズーム機能は光学ズームと電子ズームのうちの少なくとも一方で実行される。また、通常ズームでは、必ずしも連続的にズーム移動可能でなくてもよく、段階的にズーム移動可能である様なステップズームであってもよい。
【００６３】
また、本発明はこれらの実施形態に限定されず、その要旨の範囲内で種々の変形及び変更が可能である。
【符号の説明】
【００６４】
１００  撮像装置、１０１  ズームレンズ部、１０２  フォーカスレンズ部、
１０３  ズーム制御部、１０４  撮像部、１０５  画像処理部、
１０６  一時記憶メモリ、１０７  表示部、１０８  表示制御部、
１０９  電源スイッチ、１１０  ズームレバー、１１１  フレーミング釦、
１１２  ズーム位置記憶部、１１３  ＣＰＵ、１１４  バス
【図１】
2019129467.tif 000003
【図２】
2019129467.tif 000004
【図３】
2019129467.tif 000005
【図４】
2019129467.tif 000006
【図５】
2019129467.tif 000007